(57)【要約】      （修正有）【課題】自転車を広告媒体と安全面として活用する為、自転車が走行中に車輪が回転しても中心軸（シャフト）の左右に取り付けられた安全広告円盤は、回転する事なく一定方向に留まり、夜間は人目を引く安全広告円盤を提供する。【解決手段】前車輪の中心軸（シャフト）の左右に２枚のプラスチック素材の安全広告円盤１をはめ込み、ボルトで固定して回転しない様にして、自転車のスポーク４とスチール枠（リム）３にあたらない様に数ミリの隙間を開けて対処し、夜間走行には、フイルムに蛍光印刷、或いはＬＥＤにより安全走行を実現する。【選択図】図１
0003174705.tif 000002
【実用新案登録請求の範囲】
【請求項１】
自転車の中心軸（シャフト）の左右に安全広告円盤とフイルム印刷した物を貼りつけた装置で、自転車が走行の際、中心軸（シャフト）に取り付けた安全広告円盤は、車輪が回転していても安全広告円盤は回転しない仕組みになっていて、自転車の車輪は、ほとんどが規格化された構造で、ハブの左右から外輪（リム）まで数十本の細いスポークで繋がれていて、自転車全体を支える構造になっていて、外輪（リム）にあたらない様にする為、数ミリの隙間を開け、中心軸（シャフト）から外輪（リム）の端の位置に来る様、円形面に勾配を付け、スポークに当たらない構造にし、万が一、強風で抵抗を受けブレを防ぐ方法として、前ホークと安全広告円盤２箇所に固定した事を特徴とする安全広告円盤である。
【請求項２】
自転車の中心軸（シャフト）の左右に安全広告円盤と蛍光印刷を加えた物、或は蛍光印刷の代わりにＬＥＤを安全広告円盤に取り付けた装置で、自転車が夜間走行の際、蛍光印刷であれば、蛍光色を施した所だけが光り、ＬＥＤであれば点灯・点滅する。第三者の目に入り易く、危険を回避する事が出来る構造を特徴とする安全広告円盤である。
【考案の詳細な説明】
【技術分野】
【０００１】  本考案は、自転車を広告媒体とした分野と安全面を考慮した分野に関するものである。
【背景技術】
【０００２】  自転車の夜間走行は、従来のライトＵＰだけでは、わかりずらくライトＵＰしないで走行する自転車も多く事故に繋がり易く自転車を広告にも利用でき、尚且つ安全対策にも活用出来る物。
【先行技術文献】
【特許文献】
【０００３】
【特許文献１】  特開平２３−３１６８７５１号
【考案の概要】
【考案が解決しようとする課題】
【０００４】  自転車が走行中、前輪が回転している時でも左右に取り付けた安全広告円盤が回転しない様にする事と安全広告円盤が風の影響で左右にブレない様にする事と夜間走行でも安全面が保たれる様、蛍光印刷・反射板・ＬＥＤをはっきり目立つ様にする事。
【課題を解決するための手段】
【０００５】  本考案は安全広告円盤の厚みを薄くしてブレない素材（軽くて硬い）例えばポリカかＡＢＳ（自然に土に変える素材が有れば尚良い）を使用し、左右に取り付けた際に違和感のない形状にする為、中心軸からスポークに当たらない角度を設定した円錐円盤形状とし、タイヤの空気を入れ易くする為に、空気孔の形状よりも大きめの形を開け空気を入れ易くし、万が一、風の抵抗でブレない様に自転車前輪を固定する左右センター軸と別物プラスチックで固定する。
【考案の効果】
【０００６】  広告・盗難防止・安全面が目的で、広告に関しては、走行中に車輪が回転していても、安全広告円盤は静止している状態で目に付きやすく、広告効果は絶大でオリジナルな絵柄を組み込めば盗難防止にも役立つし、夜間の走行時には、蛍光印刷・反射板・ＬＥＤ等で車輪の外形が大きく浮き上がるので、第３者の目にも飛び込みやすく、安全面として訴える事が出来る。
【図面の簡単な説明】
【０００７】
【図１】本考案の前車輪に取り付けた側面図（Ａ）と正面図（Ｂ）である。
【図２】本安全広告円盤の正面図（Ａ）とＡ−Ａ′断面図（Ｂ）である。
【図３】本安全広告円盤の表面に貼るフイルム図面（Ａ）である。
【考案を実施するための形態】
【０００８】  自転車の前車輪を取りはずし、はずした車輪にプラスチック製の本体（安全広告円盤）に印刷（一部蛍光色）を施した印刷物を貼り付けた物２枚作成し、前車輪の中心軸（シャフト）に挿入し、その際、空気入れ（バルブ）の位置に本体（安全広告円盤）に開けた穴が来る様セットし、それを自転車左右の前ホークとかまして固定して出来上がる。
【実施例】
【０００９】  以下、添付図面に従って一実施例を説明する。１は軽くて硬い耐久性のプラスチック素材の安全広告円盤本体、この本体に８のフイルムに印刷されたものを貼り付けた安全広告円盤であり、例えば、この本体に孔１２箇所、開けてあるのはＬＥＤでも対応できる為である。【００１０】  自転車前車輪ハブから６の中心軸（シャフト）に固定されているボルト・ワッシャ・前かごステー・ドロよけステー・７の前ホークを取り外し、前車輪を抜き、その前車輪に１の本体に８のフィルムを貼りつけた物を６の中心軸（シャフト）に左右２枚はめ込んでセットし、その際、５の空気入れ（バルブ）に１の本体の穴が来る様以って来て、セットされた前車輪をもとの自転車本体とはずした順番通り組み立てて、組み立てた後、１の本体が３のリムや４のスポーク等に当たらないかを確認し、２のタイヤへの負荷が掛からないかを確認する。【０００１１】本考案の一実施例は上述の如き構成からなるものであるから、安全広告円盤本体１は、広告媒体として用いる事は勿論であるが、図３で示す様に８のフイルムに印刷された蛍光色や１の安全広告円盤本体に例えば、１２箇所孔をあけたのを利用して９にＬＥＤをはめ込めば、夜間走行の安全対策にも活用できる。
【符号の説明】
【００１２】１  安全広告円盤
２  タイヤ
３  リム
４  スポーク
５  空気入れ（バルブ）
６  中心軸（シャフト）
７  前ホーク
８  フイルム
９  ＬＥＤ
【図１】
0003174705.tif 000003
【図２】
0003174705.tif 000004
【図３】
0003174705.tif 000005
【手続補正書】
【提出日】平成24年1月16日(2012.1.16)
【手続補正１】
【補正対象書類名】実用新案登録請求の範囲
【補正対象項目名】全文
【補正方法】変更
【補正の内容】
【実用新案登録請求の範囲】
【請求項１】
自転車の車輪の中心軸（シャフト）の左右に安全広告円盤に直接シルク印刷又は、フイルム印刷した物を貼りつけた装置で、自転車が走行の際、自転車の車輪の中心軸（シャフト）に取り付けた安全広告円盤は、車輪が回転していても安全広告円盤は回転しない仕組みになっていて、自転車の車輪は、規格化された構造で、ハブの左右から外輪（リム）まで数十本の細いスポークで繋がれていて、自転車全体を支える構造になっていて、外輪（リム）にあたらない様にする為、数ミリの隙間を開け、自転車の車輪の中心軸（シャフト）から外輪（リム）の端の位置に来る様、円形面に勾配を付け、スポークに当たらない構造にし、万が一、強風で抵抗を受けブレを防ぐ方法として、自転車の車輪の中心軸（シャフト）に前ホークと安全広告円盤を左右２箇所に固定した事を特徴とする安全広告円盤。
【請求項２】
自転車の車輪の中心軸（シャフト）の左右に安全広告円盤と蛍光印刷を加えた物、或は蛍光印刷の代わりにＬＥＤを安全広告円盤に取り付けた装置で、自転車が夜間走行の際、蛍光印刷であれば、蛍光色を施した所だけが光り、ＬＥＤであれば点灯・点滅し、第三者の目に入り易く、危険を回避する事が出来る構造を特徴とする安全広告円盤。